【手続補正書】
【提出日】令和2年4月2日(2020.4.2)
【手続補正１】
【補正対象書類名】特許請求の範囲
【補正対象項目名】全文
【補正方法】変更
【補正の内容】
【特許請求の範囲】
【請求項１】
ホウ酸化ポリアルケニルサクシンイミド分散剤組成物を製造する方法であり、該組成物においてそのホウ素は主として環式代謝性酸部分として組入れられ、また該サクシンイミドキャリヤ中の窒素１当量当たりの組入れられたホウ素の当量は２を超え、該方法が、実質的に非プロトン系炭化水素媒体中のオルトホウ酸のスラリーを、実質的に非プロトン系炭化水素媒体中のポリアルケニルサクシンイミドに添加して、反応混合物を形成する段階、および該反応混合物から、装填されたホウ酸１モル当たり約０．８〜約１．２モルの反応水を除去するのに十分な条件の下で、該反応混合物を加熱する段階を含み、ここで該ポリアルケニルサクシンイミドは、約７００〜約１，６００ダルトンの範囲の数平均分子量（Ｍｎ）を持つポリアルケンから誘導されるポリアルケニル琥珀酸アシル化剤と、１分子当たり約５〜約８個の窒素原子を含むまたは平均して含むポリアミンまたはポリアミン混合物との反応を由来とするものであり、該ポリアルケニルサクシンイミドの琥珀酸対一級アミンの化学量論比が、約１．３以下である、前記方法。
【請求項２】
前記ポリアルケンが、約７００〜約１，４００ダルトンの範囲の数平均分子量（Ｍｎ）を持つ、請求項１記載の方法。
【請求項３】
前記ポリアルケンが、約８００〜約１，２５０ダルトンの範囲の数平均分子量（Ｍｎ）を持つ、請求項２記載の方法。
【請求項４】
前記ポリアミンまたはポリアミン混合物が１分子当たり約６〜約７個の窒素原子を含む、または平均して含む、請求項１記載の方法。
【請求項５】
前記ポリアルケニルサクシンイミドが、約０．８〜約１．３の範囲の琥珀酸対一級アミンの化学量論比を持つ、請求項１記載の方法。
【請求項６】
前記ポリアルケニルサクシンイミドが、約０．９〜約１．１２の範囲の琥珀酸対一級アミンの化学量論比を持つ、請求項５記載の方法。
【請求項７】
前記ポリアルケニルサクシンイミドが、約０．９〜約１．１の範囲の琥珀酸対一級アミンの化学量論比を持つ、請求項６記載の方法。
【請求項８】
前記ポリアルケニルサクシンイミドが誘導される、前記ポリアルケニル琥珀酸アシル化剤が、約０．８〜約１．８の範囲の官能価を持つ、請求項１記載の方法。
【請求項９】
前記ポリアルケニルサクシンイミドが誘導される、前記ポリアルケニル琥珀酸アシル化剤が、約１．１〜約１．６の範囲の官能価を持つ、請求項１記載の方法。
【請求項１０】
前記オルトホウ酸のスラリーが、約２：１〜約５：１の範囲のホウ素対窒素モル比をもたらす量で、前記ポリアルケニルサクシンイミドに添加される、請求項１記載の方法。
【請求項１１】
前記オルトホウ酸のスラリーが、約２．５：１〜約３．５：１の範囲のホウ素対窒素モル比をもたらす量で、前記ポリアルケニルサクシンイミドに添加される、請求項１０記載の方法。
【請求項１２】
前記反応混合物が、装填されたホウ酸１モル当たり約０．９〜約１．１モルの反応水を、該反応混合物から除去するのに十分な条件の下で加熱される、請求項１記載の方法。
【請求項１３】
前記反応混合物が、装填されたホウ酸１モル当たり約１．０モルの反応水を、該反応混合物から除去するのに十分な条件下で加熱される、請求項１２記載の方法。
【請求項１４】
前記反応混合物を、約１２５℃〜約２００℃の範囲の温度に、約１〜約５時間加熱する、請求項１記載の方法。
【請求項１５】
請求項１記載の方法により形成される、ホウ酸化ポリアルケニルサクシンイミド分散剤組成物。
【請求項１６】
請求項１０記載の方法により形成される、ホウ酸化ポリアルケニルサクシンイミド分散剤組成物。
【請求項１７】
請求項１２記載の方法により形成される、ホウ酸化ポリアルケニルサクシンイミド分散剤組成物。
【請求項１８】
請求項１４記載の方法により形成される、ホウ酸化ポリアルケニルサクシンイミド分散剤組成物。
【請求項１９】
約７００〜約１，６００ダルトンの範囲の数平均分子量（Ｍｎ）を持つポリアルケンを由来とするポリアルケニル琥珀酸アシル化剤と、１分子当たり約５〜約８個の窒素原子を持つ、あるいは平均して持つポリアミンまたはポリアミン混合物との反応により誘導され、かつ約１．３以下の琥珀酸対一級アミンの化学量論比を持つポリアルケニルサクシンイミドを含有する、ホウ酸化ポリアルケニルサクシンイミド分散剤組成物であって、該ポリアルケニルサクシンイミド分散剤が、これと結合したホウ素を有し、該ホウ素が、主として環式代謝性酸部分として結合され、かつ該サクシンイミド分散剤における窒素１当量当たりの組入れられたホウ素の当量は約２を超える、前記組成物。
【請求項２０】
前記ポリアルケンが、約７００〜約１，４００ダルトンの範囲の数平均分子量（Ｍｎ）を持つ、請求項１９記載のホウ酸化ポリアルケニルサクシンイミド分散剤組成物。
【請求項２１】
前記ポリアルケンが、約８００〜約１，２５０ダルトンの範囲の数平均分子量（Ｍｎ）を持つ、請求項２０記載のホウ酸化ポリアルケニルサクシンイミド分散剤組成物。
【請求項２２】
前記ポリアミンまたはポリアミン混合物が１分子当たり約６〜約７個の窒素原子を持ち、あるいは平均して有する、請求項１９記載のホウ酸化ポリアルケニルサクシンイミド分散剤組成物。
【請求項２３】
前記ポリアルケニルサクシンイミドが、約０．８〜約１．３の範囲の琥珀酸対一級アミンの化学量論比を持つ、請求項１９記載のホウ酸化ポリアルケニルサクシンイミド分散剤組成物。
【請求項２４】
前記ポリアルケニルサクシンイミドが約０．９〜約１．１２の範囲の琥珀酸対一級アミンの化学量論比を持つ、請求項２３記載のホウ酸化ポリアルケニルサクシンイミド分散剤組成物。
【請求項２５】
前記ポリアルケニルサクシンイミドが、約０．９〜約１．１の範囲の琥珀酸対一級アミンの化学量論比を持つ、請求項２４記載のホウ酸化ポリアルケニルサクシンイミド分散剤組成物。
【請求項２６】
前記ポリアルケニルサクシンイミドが誘導される、前記ポリアルケニル琥珀酸アシル化剤が、約０．８〜約１．８の範囲の官能価を持つ、請求項１９記載のホウ酸化ポリアルケニルサクシンイミド分散剤組成物。
【請求項２７】
前記ポリアルケニルサクシンイミドが誘導される、前記ポリアルケニル琥珀酸アシル化剤が、約１．１〜約１．６の範囲の官能価を持つ、請求項２６記載のホウ酸化ポリアルケニルサクシンイミド分散剤組成物。
【請求項２８】
約２．１：１〜約５．０：１の範囲のホウ素対窒素モル比を持つ、請求項１９記載のホウ酸化ポリアルケニルサクシンイミド分散剤組成物。
【請求項２９】
約２．２：１〜約４．０：１の範囲のホウ素対窒素モル比を持つ、請求項２８記載のホウ酸化ポリアルケニルサクシンイミド分散剤組成物。
【請求項３０】
約２．５：１〜約３．５：１の範囲のホウ素対窒素モル比を持つ、請求項２９記載のホウ酸化ポリアルケニルサクシンイミド分散剤組成物。
【請求項３１】
前記組成物の全質量を基準として、約１．０質量％〜約５．０質量％の範囲のホウ素含有率を持つ、請求項１９記載のホウ酸化ポリアルケニルサクシンイミド分散剤組成物。
【請求項３２】
前記組成物の全質量を基準として、約１．５質量％〜約４．０質量％の範囲のホウ素含有率を持つ、請求項３１記載のホウ酸化ポリアルケニルサクシンイミド分散剤組成物。
【請求項３３】
前記組成物の全質量を基準として、約２．０質量％〜約３．０質量％の範囲のホウ素含有率を持つ、請求項３２記載のホウ酸化ポリアルケニルサクシンイミド分散剤組成物。
【請求項３４】
前記組成物の全体積を基準として、約０．３体積％未満の沈降物含有率を持つ、請求項１９記載のホウ酸化ポリアルケニルサクシンイミド分散剤組成物。
【請求項３５】
前記組成物の全体積を基準として、約０．１体積％未満の沈降物含有率を持つ、請求項３４記載のホウ酸化ポリアルケニルサクシンイミド分散剤組成物。
【請求項３６】
約３：１〜約７：１の範囲のホウ素対理論的塩基性窒素のモル比を持つ、請求項１９記載のホウ酸化ポリアルケニルサクシンイミド分散剤組成物。
【請求項３７】
約３．２：１〜約６：１の範囲のホウ素対理論的塩基性窒素のモル比を持つ、請求項３６記載のホウ酸化ポリアルケニルサクシンイミド分散剤組成物。
【請求項３８】
約７００ｃＳｔ未満の、１００℃における動粘度を持つ、請求項１９記載のホウ酸化ポリアルケニルサクシンイミド分散剤組成物。
【請求項３９】
約５００ｃＳｔ未満の、１００℃における動粘度を持つ、請求項３８記載のホウ酸化ポリアルケニルサクシンイミド分散剤組成物。
【請求項４０】
約１５質量％を超える有効成分含有率を持つ、請求項１９記載のホウ酸化ポリアルケニルサクシンイミド分散剤組成物。
【請求項４１】
約４０質量％を超える有効成分含有率を持つ、請求項４０記載のホウ酸化ポリアルケニルサクシンイミド分散剤組成物。
【請求項４２】
潤滑油組成物の全質量を基準として、約２０〜約６００ｐｐｍのホウ素を与える量の請求項１９記載のホウ酸化ポリアルケニルサクシンイミド分散剤組成物を含む、前記潤滑油組成物。
【手続補正２】
【補正対象書類名】明細書
【補正対象項目名】００２１
【補正方法】変更
【補正の内容】
【００２１】
本発明の組成物は、混合前後に化学的に同一であっても、同一でなくてもよい、定義された個々の、即ち別々の成分を含むことに注目すべきである。即ち、必須並びに随意および慣例の、該組成物の様々な成分が、調合、保存または使用の条件下で反応し、また本発明が、あらゆるこのような反応の結果として得ることのできるまたは得られる生成物をも意図し、また包含するものであることを理解するであろう。
ここにおいて記載された全ての特許、論文およびその他の資料に係る開示は、その全体において、言及によりこの明細書に組入れられる。本発明の原理、好ましい態様および作業形態は、上記明細書において記載されている。出願人が提示したものは、その発明であるが、開示された特定の態様に限定されるものと解釈されるべきではない。その理由は、該開示された態様は、限定というよりもむしろ例示的なものであることにある。当業者によって、本発明の精神を逸脱せずに、変更が行われ得る。
本発明は、以下の事項を含んでいる。
（付記１）
ホウ酸化ポリアルケニルサクシンイミド分散剤組成物を製造する方法であり、該組成物においてそのホウ素は主として環式代謝性酸部分として組入れられ、また該サクシンイミドキャリヤ中の窒素1当量当たりの組入れられたホウ素の当量は2を超え、該方法が、実質的に非プロトン系炭化水素媒体中のオルトホウ酸のスラリーを、実質的に非プロトン系炭化水素媒体中のポリアルケニルサクシンイミドに添加して、反応混合物を形成する段階、および該反応混合物から、装填されたホウ酸1モル当たり約0.8〜約1.2モルの反応水を除去するのに十分な条件の下で、該反応混合物を加熱する段階を含み、ここで該ポリアルケニルサクシンイミドは、約700〜約1,600ダルトンの範囲の数平均分子量(Mn)を持つポリアルケンから誘導されるポリアルケニル琥珀酸アシル化剤と、1分子当たり約5〜約8個の窒素原子を含むまたは平均して含むポリアミンまたはポリアミン混合物との反応を由来とするものであり、該ポリアルケニルサクシンイミドの琥珀酸対一級アミンの化学量論比が、約1.3以下である、前記方法。
（付記２）
前記ポリアルケンが、約700〜約1,400ダルトンの範囲の数平均分子量(Mn)を持つ、付記1記載の方法。
（付記３）
前記ポリアルケンが、約800〜約1,250ダルトンの範囲の数平均分子量(Mn)を持つ、付記2記載の方法。
（付記４）
前記ポリアミンまたはポリアミン混合物が1分子当たり約6〜約7個の窒素原子を含む、または平均して含む、付記1記載の方法。
（付記５）
前記ポリアルケニルサクシンイミドが、約0.8〜約1.3の範囲の琥珀酸対一級アミンの化学量論比を持つ、付記1記載の方法。
（付記６）
前記ポリアルケニルサクシンイミドが、約0.9〜約1.12の範囲の琥珀酸対一級アミンの化学量論比を持つ、付記5記載の方法。
（付記７）
前記ポリアルケニルサクシンイミドが、約0.9〜約1.1の範囲の琥珀酸対一級アミンの化学量論比を持つ、付記16記載の方法。
（付記８）
前記ポリアルケニルサクシンイミドが誘導される、前記ポリアルケニル琥珀酸アシル化剤が、約0.8〜約1.8の範囲の官能価を持つ、付記1記載の方法。
（付記９）
前記ポリアルケニルサクシンイミドが誘導される、前記ポリアルケニル琥珀酸アシル化剤が、約1.1〜約1.6の範囲の官能価を持つ、付記1記載の方法。
（付記１０）
前記オルトホウ酸のスラリーが、約2:1〜約5:1の範囲のホウ素対窒素モル比をもたらす量で、前記ポリアルケニルサクシンイミドに添加される、付記1記載の方法。
（付記１１）
前記オルトホウ酸のスラリーが、約2.5:1〜約3.5:1の範囲のホウ素対窒素モル比をもたらす量で、前記ポリアルケニルサクシンイミドに添加される、付記10記載の方法。
（付記１２）
前記反応混合物が、装填されたホウ酸1モル当たり約0.9〜約1.1モルの反応水を、該反応混合物から除去するのに十分な条件の下で加熱される、付記1記載の方法。
（付記１３）
前記反応混合物が、装填されたホウ酸1モル当たり約1.0モルの反応水を、該反応混合物から除去するのに十分な条件下で加熱される、付記12記載の方法。
（付記１４）
前記反応混合物を、約125℃〜約200℃の範囲の温度に、約1〜約5時間加熱する、付記1記載の方法。
（付記１５）
付記1記載の方法により形成される、ホウ酸化ポリアルケニルサクシンイミド分散剤組成物。
（付記１６）
付記10記載の方法により形成される、ホウ酸化ポリアルケニルサクシンイミド分散剤組成物。
（付記１７）
付記12記載の方法により形成される、ホウ酸化ポリアルケニルサクシンイミド分散剤組成物。
（付記１８）
付記14記載の方法により形成される、ホウ酸化ポリアルケニルサクシンイミド分散剤組成物。
（付記１９）
約700〜約1,600ダルトンの範囲の数平均分子量(Mn)を持つポリアルケンを由来とするポリアルケニル琥珀酸アシル化剤と、1分子当たり約5〜約8個の窒素原子を持つ、あるいは平均して持つポリアミンまたはポリアミン混合物との反応により誘導され、かつ約1.3以下の琥珀酸対一級アミンの化学量論比を持つポリアルケニルサクシンイミドを含有する、ホウ酸化ポリアルケニルサクシンイミド分散剤組成物であって、該ポリアルケニルサクシンイミド分散剤が、これと結合したホウ素を有し、該ホウ素が、主として環式代謝性酸部分として結合され、かつ該サクシンイミド分散剤における窒素1当量当たりの組入れられたホウ素の当量は約2を超える、前記組成物。
（付記２０）
前記ポリアルケンが、約700〜約1,400ダルトンの範囲の数平均分子量(Mn)を持つ、付記19記載のホウ酸化ポリアルケニルサクシンイミド分散剤組成物。
（付記２１）
前記ポリアルケンが、約800〜約1,250ダルトンの範囲の数平均分子量(Mn)を持つ、付記20記載のホウ酸化ポリアルケニルサクシンイミド分散剤組成物。
（付記２２）
前記ポリアミンまたはポリアミン混合物が1分子当たり約6〜約7個の窒素原子を持ち、あるいは平均して有する、付記19記載のホウ酸化ポリアルケニルサクシンイミド分散剤組成物。
（付記２３）
前記ポリアルケニルサクシンイミドが、約0.8〜約1.3の範囲の琥珀酸対一級アミンの化学量論比を持つ、付記19記載のホウ酸化ポリアルケニルサクシンイミド分散剤組成物。
（付記２４）
前記ポリアルケニルサクシンイミドが約0.9〜約1.12の範囲の琥珀酸対一級アミンの化学量論比を持つ、付記23記載のホウ酸化ポリアルケニルサクシンイミド分散剤組成物。
（付記２５）
前記ポリアルケニルサクシンイミドが、約0.9〜約1.1の範囲の琥珀酸対一級アミンの化学量論比を持つ、付記24記載のホウ酸化ポリアルケニルサクシンイミド分散剤組成物。
（付記２６）
前記ポリアルケニルサクシンイミドが誘導される、前記ポリアルケニル琥珀酸アシル化剤が、約0.8〜約1.8の範囲の官能価を持つ、付記19記載のホウ酸化ポリアルケニルサクシンイミド分散剤組成物。
（付記２７）
前記ポリアルケニルサクシンイミドが誘導される、前記ポリアルケニル琥珀酸アシル化剤が、約1.1〜約1.6の範囲の官能価を持つ、付記26記載のホウ酸化ポリアルケニルサクシンイミド分散剤組成物。
（付記２８）
約2.1:1〜約5.0:1の範囲のホウ素対窒素モル比を持つ、付記19記載のホウ酸化ポリアルケニルサクシンイミド分散剤組成物。
（付記２９）
約2.2:1〜約4.0:1の範囲のホウ素対窒素モル比を持つ、付記28記載のホウ酸化ポリアルケニルサクシンイミド分散剤組成物。
（付記３０）
約2.5:1〜約3.5:1の範囲のホウ素対窒素モル比を持つ、付記29記載のホウ酸化ポリアルケニルサクシンイミド分散剤組成物。
（付記３１）
前記組成物の全質量を基準として、約1.0質量％〜約5.0質量％の範囲のホウ素含有率を持つ、付記19記載のホウ酸化ポリアルケニルサクシンイミド分散剤組成物。
（付記３２）
前記組成物の全質量を基準として、約1.5質量％〜約4.0質量％の範囲のホウ素含有率を持つ、付記31記載のホウ酸化ポリアルケニルサクシンイミド分散剤組成物。
（付記３３）
前記組成物の全質量を基準として、約2.0質量％〜約3.0質量％の範囲のホウ素含有率を持つ、付記32記載のホウ酸化ポリアルケニルサクシンイミド分散剤組成物。
（付記３４）
前記組成物の全体積を基準として、約0.3体積％未満の沈降物含有率を持つ、付記19記載のホウ酸化ポリアルケニルサクシンイミド分散剤組成物。
（付記３５）
前記組成物の全体積を基準として、約0.1体積％未満の沈降物含有率を持つ、付記34記載のホウ酸化ポリアルケニルサクシンイミド分散剤組成物。
（付記３６）
約3:1〜約7:1の範囲のホウ素対理論的塩基性窒素のモル比を持つ、付記19記載のホウ酸化ポリアルケニルサクシンイミド分散剤組成物。
（付記３７）
約3.2:1〜約6:1の範囲のホウ素対理論的塩基性窒素のモル比を持つ、付記36記載のホウ酸化ポリアルケニルサクシンイミド分散剤組成物。
（付記３８）
約700cSt未満の、100℃における動粘度を持つ、付記19記載のホウ酸化ポリアルケニルサクシンイミド分散剤組成物。
（付記３９）
約500cSt未満の、100℃における動粘度を持つ、付記38記載のホウ酸化ポリアルケニルサクシンイミド分散剤組成物。
（付記４０）
約15質量％を超える有効成分含有率を持つ、付記19記載のホウ酸化ポリアルケニルサクシンイミド分散剤組成物。
（付記４１）
約40質量％を超える有効成分含有率を持つ、付記40記載のホウ酸化ポリアルケニルサクシンイミド分散剤組成物。
（付記４２）
潤滑油組成物であって、該潤滑油組成物の全質量を基準として、約20〜約600ppmのホウ素を与える、所定量の付記19記載のホウ酸化ポリアルケニルサクシンイミド分散剤組成物を含む、前記潤滑油組成物。